(57)【要約】【課題】    複数の情報記録面を有する多層ＢＤに適用可能な対物レンズのチルト調整、チルト補正を行う光学的情報記録再生装置を提供する。【解決手段】  情報記録媒体を単位角度チルトさせたときに発生するコマ収差をＳＣＤ、対物レンズを単位角度チルトさせたときに発生するコマ収差をＳＣＯと表したとき、情報記録面のカバー層の厚さと、前記ＳＣＤに対する前記ＳＣＯの比率αの関係が予め求められ記憶手段に記録されている。カバー層が最も薄い情報記録面での比率αをα１と表記したとき、前記α１をもとに前記対物レンズのチルト振り幅θ１を決定し対物レンズのチルト調整を行う。また、目的とする情報記録面での比率αをα２と表したとき、前記α１に対する前記α２の比をもとに前記対物レンズのチルト振り幅θ２を推定し、対物レンズのチルト補正を行う。【選択図】  図８
2012033213.tif 000002
【特許請求の範囲】
【請求項１】
レーザ光源と、前記レーザ光源から出射した光ビームを情報記録媒体の情報記録面に集光し照射する対物レンズと、前記レーザ光源と前記対物レンズの間の光路に設けた球面収差補正手段と、前記対物レンズのチルト駆動手段を有する光ピックアップと、前記光ピックアップの制御手段を備えた光学的情報記録再生装置において、
前記情報記録媒体を単位角度チルトさせた場合に発生するコマ収差をＳＣＤと表記し、前記対物レンズを単位角度チルトさせた場合に発生するコマ収差をＳＣＯと表記したとき、
前記情報記録面のカバー層の厚さと、前記ＳＣＤに対する前記ＳＣＯの比率α（＝ＳＣＯ／ＳＣＤ）の関係が予め求められて記憶手段に記録されており、
前記カバー層が最も薄い情報記録面での前記比率αをα１と表記したとき、前記
α１をもとに前記対物レンズのチルト振り幅θ１を決定して前記対物レンズのチルト調整を行い、目的とする情報記録面での前記比率αをα２と表したとき、前記α１に対する前記α２の比をもとにして前記対物レンズのチルト振り幅θ２を推定し前記対物レンズのチルト補正を行う光学的情報記録再生装置。
【請求項２】
請求項１において、前記情報記録媒体は複数の情報記録面を有する多層情報記録媒
体である光学的情報記録再生装置。
【請求項３】
請求項１において、前記対物レンズのチルト振り幅θ１の決定は、前記光学的情報記録再生装置の初期調整時に行われる光学的情報記録再生装置。
【請求項４】
請求項１において、前記制御手段は前記記憶手段と接続されており、前記記憶手段から前記比率αに関する情報を呼び出す光学的情報記録再生装置。
【請求項５】
請求項１において、前記比率αは前記カバー層厚さとの関係情報として前記記憶手段に記録されている光学的情報記録再生装置。
【請求項６】
請求項１において、前記球面収差補正手段はモータによりコリメートレンズを光軸方向に移動させる機構であり、前記比率αが前記コリメートレンズの位置情報あるいはモータの駆動パルス数との関係情報として前記記憶手段に記録されている光学的情報記録再生装置。
【発明の詳細な説明】
【技術分野】
【０００１】
本発明は光学的情報記録媒体に情報信号を記録または再生する光ピックアップを搭載した光学的情報記録再生装置に係わる。
【背景技術】
【０００２】
一般的に、光学的情報記録媒体がチルトするとコマ収差が発生し、情報記録媒体の情報記録面上の集光スポットが劣化して記録再生が正常に行えなくなる。このコマ収差は対物レンズの（ＮＡ）の３乗に比例し、レーザ波長の逆数に比例する。特にＢＤ（Blu-ray Disc）ではＤＶＤに比べて対物レンズのＮＡが０.８５と大きく、レーザ波長が４０５ｎｍと小さくなるので、ＢＤではこのコマ収差を抑制することが課題となる。
【０００３】
この課題を解決する例として特許文献１では、環境温度変化があったときに適切にコマ収差を低減する技術が開示されており、「対物レンズは、(1)レンズチルト感度が一定以上の場合には、レンズチルト補正が行われ、(2)レンズチルト感度が一定未満の場合には、レンズチルト補正が行われない。」と記載されている。
【先行技術文献】
【特許文献】
【０００４】
【特許文献１】特開２０１０−１４０５６６号公報
【発明の概要】
【発明が解決しようとする課題】
【０００５】
近年、デジタル放送の多チャンネル化、ハイビジョン化が進みハイビジョン対応の映像情報機器が普及している。そのため、個人の取扱うデータ量は増加する一方の状況にある。このような状況下で、ＢＤ（Blu-ray Disc）では従来（単層で約２５ＧＢ、２層で約５０ＧＢ）よりも大容量化を図るため、３層で約１００ＧＢ、４層で約１２８ＧＢの容量を持つ多層ＢＤ規格（ＢＤＸＬ）が最近、策定された。
【０００６】
上記特許文献１では、環境温度変化に対するレンズチルト補正について考慮されているが、上記多層ＢＤ規格に対応したレンズチルト調整、チルト補正までは考慮されておらず、開示されていない。
【０００７】
本発明の目的は、前記多層ＢＤに適用可能な対物レンズのチルト調整、補正を行う光学的情報記録再生装置を提供することにある。
【課題を解決するための手段】
【０００８】
前記記載の目的は、その一例として本発明の特許請求の範囲に記載の構成、手段により実現可能となる。
【発明の効果】
【０００９】
本発明によれば、多層ＢＤの情報記録面で適正なコマ収差補正を行うことができ、情報記録面での光スポットの品質を確保して記録再生性能の良い光学的情報記録再生装置を実現することが可能となる。
【図面の簡単な説明】
【００１０】
【図１】本実施例において、多層ＢＤ用光学的情報記録再生装置を示す図である。
【図２】本実施例において、球面収差補正を行った時、ＢＤ対物レンズに入射し情    報記録面に照射される光の状態を説明する図である。
【図３】本実施例において、情報記録面のカバー層厚さとＢＤコリメートレンズの    移動量、集光スポットの残留波面収差の関係を示すグラフである。
【図４】本実施例において、対物レンズに対する情報記録面のチルト角度θＤ、情    報記録面に対する対物レンズのチルト角度θＬを示す図である。
【図５】本実施例において、情報記録面のカバー層厚さ０.１ｍｍ、０.０８７５ｍ  ｍにおいて、(1)ＢＤ対物レンズのチルト角度θＬと発生する３次コマ収差の関係、  (2)情報記録面のチルト角度θＤと発生する３次コマ収差の関係を示すグラフである。
【図６】本実施例において、情報記録面のカバー層厚さ０.０８４５ｍｍ、０．０６  ５ｍｍ、０.０５３５ｍｍにおいて、(1)ＢＤ対物レンズのチルト角度θＬと発生する  ３次コマ収差の関係、(2)情報記録面のチルト角度θＤと発生する３次コマ収差の関  係を示すグラフである。
【図７】本実施例において、(1)情報記録面、(2)ＢＤ対物レンズにおいて、情報記録  面のカバー層厚さと発生する３次コマ収差のチルト感度［λｒｍｓ値／チルト１度］の  関係を示すグラフである。
【図８】本実施例において、情報記録面のカバー層厚さｔと比率αの関係を示すグ  ラフである。
【図９】本実施例において、Ｌ３層でのＢＤ対物レンズのチルト調整、目的層でのＢＤ対物レンズのチルト補正を説明する図である。
【図１０】本実施例において、ＢＤ対物レンズのチルト調整を示すフローである。
【図１１】本実施例において、ＢＤ対物レンズのチルト補正を示すフローである。
【発明を実施するための形態】
【００１１】
図１は本実施例の多層ＢＤ用光学的情報記録再生装置を示し、点線部１１６で囲まれた部分が本実施例の光ピックアップを示す。
【００１２】
ＢＤレーザ光源１０１から波長４０５ｎｍ帯の直線偏光の発散ビーム光が出射され、偏光ビームスプリッタ１０２、反射ミラー１０３、ＢＤ補助レンズ１０４を経てＢＤコリメートレンズ１０５により略平行な光ビームに変換される。前記ＢＤコリメートレンズ１０５は、例えばステッピングモータを用いた球面収差補正駆動手段１０６により矢印１０７の光軸１０８方向に移動する。前記ＢＤコリメートレンズ１０５から出射した光ビームは、１／４波長板１０９により円偏光に変換され、ＢＤ立上げミラー１１０により垂直に光路を曲げられた後、開口数０.８５のＢＤ対物レンズ１１１で集光され、情報記録媒体１１２の情報記録面１１３に照射される。
【００１３】
前記情報記録面１１３で反射した光ビームは、前記ＢＤ対物レンズ１１１、前記ＢＤ立上げミラー１１０を経て前記１／４波長板１０９により直線偏光に変換され、前記ＢＤコリメートレンズ１０５、前記ＢＤ補助レンズ１０４、前記反射ミラー１０３を経て前記偏光ビームスプリッタ１０２の反射面で反射され、多分割回折素子１１４に入射する。光ビームは前記多分割回折素子１１４により複数の光ビームに分割され、ＢＤ光検出器１１５に到達する。本実施例ではサーボ信号の検出方式として、例えばフォーカス誤差信号にナイフエッジ法、トラッキング誤差信号にプッシュプル方式を用い、前記情報記録媒体２１３の情報記録面２１４に照射された集光スポットの位置を制御する。なお、前記ナイフエッジ法や前記プッシュプル方式は公知技術であるため、ここでは説明を省略する。
【００１４】
前記ＢＤレーザ光源１０１から出射して前記ビームスプリッタ１０２、前記反射ミラー１０３の上方を通過した光ビームは前方モニタ１１７により受光され、その検出信号が（図示しない）ＢＤレーザ駆動制御回路にフィードバックされ、前記ＢＤレーザ光源１０１の出射光強度が制御される。
【００１５】
本実施例の光ピックアップには、前記情報記録媒体１１２を単位角度チルトさせた場合に発生するコマ収差をＳＣＤと表し、前記ＢＤ対物レンズ１１１を単位角度チルトさせた場合に発生するコマ収差をＳＣＯと表したとき、前記情報記録面１１３のカバー層の厚さと、前記ＳＣＤに対する前記ＳＣＯの比率α（＝ＳＣＯ／ＳＣＤ）の関係情報が予め求められており、ピックアップ情報記憶手段１２１に記録されている。
【００１６】
また、前記コリメートレンズの位置情報あるいはステッピングモータの駆動パルス数と、前記比率αの関係情報が予め求められており、ピックアップ情報記憶手段１２１に記録されるようにしても良い。
【００１７】
前記ピックアップ情報記憶手段１２１はピックアップコントローラ１２２に接続されており、ピックアップコントローラ１２２は、後ほど説明するチルト調整、チルト補正時に前記ピックアップ情報記憶手段１２１から前記比率αに関する情報を呼び出すことが可能となっている。
【００１８】
前記光ピックアップコントローラ１２２には、信号処理回路１２３、フォーカス制御回路１１８、トラッキング制御回路１１９、チルト制御回路１２０が接続されている。前記フォーカス制御回路１１８、トラッキング制御回路１１９、チルト制御回路１２０はＢＤ対物レンズ１１１を保持し駆動する（図示しない）アクチュエータに接続されている。ＢＤ光検出器１１５からフォーカス誤差信号、トラッキング誤差信号、情報再生信号、チルト検出信号が出力され、信号処理回路１２３に伝送される。信号処理回路１２３ではこれらの信号を処理し、光ピックアップコントローラ１２２を通して最適な信号をフォーカス制御回路１１８、トラッキング制御回路１１９、チルト制御回路１２０に伝送して（図示しない）アクチュエータを駆動させ、情報記録媒体１１２の情報記録面１１３での光スポットの位置制御を行う。また、信号処理回路１２３は表示手段１２４と接続されており、ユーザが装置を制御する場合は、（図示しない）ユーザ入力手段から信号処理回路１２３に指令を送ることで制御し、その処理状態は表示手段１２４に表示される。
図２は前記球面収差補正駆動手段１０６により球面収差補正が行われたとき、ＢＤ対物レンズ１１１に入射し、情報記録媒体１１２の情報記録面１１３に照射される光の状態を示している。以下、本実施例では、表面２０２から近い順に４つの情報記録面Ｌ３、Ｌ２、Ｌ１、Ｌ０を持つ４層情報記録媒体を例にして説明する。
（Ａ）は前記ＢＤコリメートレンズ１０５が基準位置にある場合を示しており、ＢＤ対物レンズ１１１に平行光２０１が入射する。その後、例えば表面から８７.５μｍ
の位置２０３（Ｌ０とＬ１の間）に集光する。
（Ｂ）は前記ＢＤコリメートレンズ１０５が矢印２０４の方向、すなわち光軸１０８に沿ってＢＤ対物レンズ１１１から離れる方向に移動させた場合を示しており、ＢＤ対物レンズ１１１に入射する光が前記平行光２０１から発散光２０５に変換され、
例えば、前記８７.５μｍよりもカバー層の厚いＬ０層の位置２０６に集光する。
（Ｃ）は前記ＢＤコリメートレンズ１０５が矢印２０７の方向、すなわち光軸１０８に沿ってＢＤ対物レンズ１１１に近づく方向に移動させた場合を示しており、ＢＤ対物レンズ１１１に入射する光が前記平行光２０１から収束光２０５に変換され、例えば、前記８７.５μｍよりもカバー層の薄いＬ３層の位置２０９に集光する。
なお、前記ＢＤコリメートレンズ１０５の移動量を変えることにより前記Ｌ３層以外のＬ１層、Ｌ２層にも集光させることができる。
【００１９】
図３（Ａ）は前記図２で説明したように球面収差補正を行ったとき、情報記録面Ｌ０、Ｌ１、Ｌ２、Ｌ３のカバー層厚さと必要なＢＤコリメートレンズ１０５の移動量の関係を計算した例を示している。ここで、情報記録面Ｌ０、Ｌ１、Ｌ２、Ｌ３のカバー層厚さはそれぞれ０.１ｍｍ、０.０８４５ｍｍ、０.０６５ｍｍ、０.０５４ｍｍとした。ＢＤコリメートレンズ１０５の移動量の＋は前記図２（Ｂ）の矢印２０７の方向を示し、移動量の−は前記図２（Ｃ）の矢印２０４の方向を示す。
移動量の０は前記図２（Ａ）の場合を示し、このとき情報記録面のカバー層厚さは
０.０８７５ｍｍ（ＢＤ対物レンズ１１１の設計基準カバー層厚さ）である。
情報記録面のカバー層厚さと必要なＢＤコリメートレンズ１０５の移動量は線形関係
にあり、ＢＤコリメートレンズ１０５の移動量１ｍｍあたりカバー層厚さ０.０３２ｍｍに相当する球面収差を補正することが可能である。
【００２０】
図３（Ｂ）は球面収差補正を行ったとき、情報記録面のカバー層厚さと、各情報記録面Ｌ０、Ｌ１、Ｌ２、Ｌ３に照射される集光スポットの残留波面収差を計算した例を示している。残留波面収差が０.０１λｒｍｓ以下に抑制されていることがわかる。
【００２１】
図４（Ａ）はＢＤ対物レンズ１１１に対して情報記録媒体１１２の情報記録面１１
３が角度θＤだけチルトした状態を、図４（Ｂ）は情報記録媒体１１２の情報記録面１１３に対してＢＤ対物レンズが角度θＬだけチルトした状態を示している。
【００２２】
図５、図６は図４（Ａ）（Ｂ）の状態において、情報記録媒体１１２の情報記録面１１３における集光スポットに発生する３次コマ収差を計算した例を示している。
【００２３】
図５（Ａ）は４層情報記録媒体の４つの情報記録面Ｌ３、Ｌ２、Ｌ１、Ｌ０のうち、
Ｌ０層（０.１ｍｍ）において、(1)ＢＤ対物レンズ１１１のチルト角度θＬと発生する３次コマ収差を、(2)情報記録媒体１１２（ディスク）のチルト角度θＤと発生する３次コマ収差を計算した例を示す。図５（Ｂ）はＢＤ対物レンズ１１１の設計基準カバー層厚さである０.０８７５ｍｍにおいて、(1)ＢＤ対物レンズ１１１のチルト角度θＬと発生する３次コマ収差を、(2)情報記録媒体１１２（ディスク）のチルト角度θＤと発生する３次コマ収差を計算した例を示す。
【００２４】
図６（Ｃ）はＬ１層（０.０８４５ｍｍ）において、(1)ＢＤ対物レンズ１１１のチルト角度θＬと発生する３次コマ収差を、(2)情報記録媒体１１２（ディスク）のチルト角度θＤと発生する３次コマ収差を計算した例を示す。図６（Ｄ）はＬ２層（０.０６５ｍｍ）において、(1)ＢＤ対物レンズ１１１のチルト角度θＬと発生する３次コマ収差を、(2)情報記録媒体１１２（ディスク）のチルト角度θＤと発生する３次コマ収差を計算した例を示す。図６（Ｅ）はＬ３層（０.０５３５ｍｍ）において、(1)ＢＤ対物レンズ１１１のチルト角度θＬと発生する３次コマ収差を、(2)情報記録媒体１１２（ディスク）のチルト角度θＤと発生する３次コマ収差を計算した例を示す。
【００２５】
図５、図６の計算結果から、Ｌ０層（０.１ｍｍ）では、(2)情報記録媒体１１２（ディスク）の方が(1)ＢＤ対物レンズ１１１よりもチルト角度に対する３次コマ収差の勾配が大きくなっており、ＢＤ対物レンズ１１１の設計基準カバー層厚さである０.０８７５ｍｍでは、(1)ＢＤ対物レンズ１１１と(2)情報記録媒体１１２（ディスク）とでチルト角度に対する３次コマ収差の勾配がほぼ等しくなっている。さらに、Ｌ１層（０.０８４５ｍｍ）、Ｌ２層（０.０６５ｍｍ）、Ｌ３層（０.０５３５ｍｍ）では、(1)ＢＤ対物レンズ１１１の方が(2)情報記録媒体１１２（ディスク）よりもチルト角度に対する３次コマ収差の勾配が大きくなっている。特にＬ３層（０.０５３５ｍｍ）において、(1)ＢＤ対物レンズ１１１と(2)情報記録媒体１１２（ディスク）とでチルト角度に対する３次コマ収差の勾配の差が最も大きくなっている。
【００２６】
前記図５、図６で得られた計算結果から、(1)ＢＤ対物レンズ１１１と(2)情報記録媒体１１２（ディスク）について、情報記録面のカバー層厚さと、チルト１度あたりに発生する３次コマ収差で表される３次コマ収差のチルト感度［λｒｍｓ／チルト１度］の関係を求めると、図７のグラフのようになる。７０１が情報記録媒体１１２（ディスク）での特性を、７０２がＢＤ対物レンズ１１１での特性を示している。上記７０１は情報記録面のカバー層厚さが厚くなると線形に増加し、上記７０２は情報記録面のカバー層厚さが厚くなると線形に減少する。なお、前記７０１と前記７０２が交差し、３次コマ収差のチルト感度が等しいカバー層厚さは０.０８７５ｍｍであり、この値はＢＤ対物レンズ１１１の設計基準カバー層厚さと等しい。
【００２７】
前記図７で得られた計算結果から、横軸を情報記録面のカバー層厚さｔ、縦軸を、
既に図１を用いて説明したＳＣＤ（前記情報記録媒体１１２を単位角度チルトさせた場合に発生する３次コマ収差）に対するＳＣＯ（前記ＢＤ対物レンズ１１１を単位角度チルトさせた場合に発生する３次コマ収差）の比率α（＝ＳＣＯ／ＳＣＤ）の関係で示すと図８のようになる。同図の８０１は前記ｔとαの特性曲線を示しており、
本実施例では曲線８０１を以下の［数式１］に示す２次曲線で近似することができる。
【００２８】
α＝Ａ×ｔ＾2＋Ｂ×ｔ＋Ｃ                    ［数式１］
ここで、Ａ＝３６５.２、Ｂ＝−３２．８、Ｃ＝１．０９
なお、Ｌ０層ではα＞１であり、Ｌ１層、Ｌ２層、Ｌ３層ではα＜１、ｔ＝０.０８７５ｍｍではα＝１である。上記αは［数式１］の形式で予め前記ピックアップ情報記憶手段１２１に記録されている。
【００２９】
前記ピックアップ情報記憶手段１２１は前記ピックアップコントローラ１２２と接続されており、前記ピックアップコントローラ１２２は、後ほど図９から図１１を用いて説明するチルト調整、チルト補正時に前記ピックアップ情報記憶手段１２１から前記比率αに関する情報を呼び出すことが可能となっている。
【００３０】
前記情報記録面のカバー層厚さｔが最も薄いＬ３層における前記比率αをα１、目的とする（Ｌ２層、Ｌ１層、Ｌ０層のいずれかの）情報記録面における前記比率αをα２と表記すると、曲線８０１は既知であるから、Ｌ２層では８０２、Ｌ１層では８０３、Ｌ０層では８０４のように係数Ｋ＝α２／α１を算出することができる。
【００３１】
図９（Ａ）は本実施例の多層ＢＤ用光学的情報記録再生装置の初期調整時に、
カバー層厚さが最も薄いＬ３層でＢＤ対物レンズ１１１をチルト調整する状態を示している。ＢＤ対物レンズ１１１のチルト振り幅をθ１、前記情報記録面のチルトを
θＤと表記すると、前記チルト振り幅θ１は前記α１をもとに以下の［数式２］で表され決定される。
【００３２】
θ１＝α１×θＤ                                ［数式２］
図９（Ｂ）は本実施例の多層ＢＤ用光学的情報記録再生装置の実動作時に、目的層９０１でＢＤ対物レンズ１１１をチルト補正する状態を示している。目的層９０１でのＢＤ対物レンズ１１１のチルト振り幅をθ２、前記情報記録面のチルトをθＤと表記すると、前記チルト振り幅θ２は前記係数Ｋ＝α２／α１にもとに以下の［数式３］
で示すように推定される。
【００３３】
θ２＝Ｋ×θＤ    ここで、Ｋ＝α２／α１        ［数式３］
このチルト補正は例えば、特に前記情報記録媒体１１２の回転数が変化したとき、あるいは光ピックアップ１１６の周囲温度が変化したときを契機として行われる。もちろん、通常時に行っても構わない。
【００３４】
図１０は本実施例におけるＢＤ対物レンズのチルト調整を示すフローである。
（ａ）は従来のＢＤ２層媒体の場合を、（ｂ）はＢＤ３層媒体の場合を、（ｃ）はＢＤ４層媒体の場合を示しており、四角で囲まれた各ブロックに記載された内容に従ってチルト調整が実行される。これらは光学的情報記録再生装置の初期調整時に行われる。  図１１は本実施例におけるＢＤ対物レンズのチルト補正を示すフローであり、四角で囲まれた各ブロックに記載された内容に従ってチルト補正が実行される。
これらは光学的情報記録再生装置の初期調整後、実動作時に行われる。
前記チルト調整およびチルト調整は、ＢＤ対物レンズを主に情報記録媒体の半径方向に対してチルトさせることを想定しているが、さらに情報記録媒体の接線方向に対してチルトさせるようにしても構わない。
【００３５】
以上、本発明の実施例について説明してきたが、以下、利点について説明する。
本発明では対物レンズをチルトさせたときに３次コマ収差を最も大きく発生させることが可能であるカバー層厚さが最も薄い情報記録面でチルト調整を行うようにした。
さらに、目的とする情報記録面で対物レンズのチルト補正状態を推定できるようにした。そのため、以下に示すメリットがある。
（１）すべての情報記録面ではなく、１つの情報記録面でのみ対物レンズチルト調整を行えば良いので、光学的情報記録再生装置の初期調整時間を短縮することができる。
（２）対物レンズをチルトさせた時、情報記録媒体との衝突を最も確実に回避できる。
（３）目的とする情報記録面で対物レンズのチルト補正を迅速に行うことができる。
（４）情報記録媒体に対する対物レンズのチルト振り幅を最も小さくでき、チルト駆動手段であるアクチュエータの負担を低減することができる。
（５）アクチュエータのチルト駆動電圧を最も小さく設定でき、コイル発熱による対物レンズ周辺の温度上昇を抑制することができる。
【００３６】
よって、多層ＢＤの情報記録面で適正なコマ収差補正を行うことができ、情報記録面での光スポットの品質を確保して記録再生性能の良い光学的情報記録再生装置を実現することが可能となる。
【００３７】
以上、本発明の内容について説明してきたが、適用範囲はこれらに限定されるものではない。例えば、ＢＤ６層媒体、ＢＤ８層媒体といった情報記録面の数がより多い情報記録媒体に対しても適用可能である。ＢＤ光学系だけでなく、ＤＶＤ／ＣＤ光学系を追加し、ＢＤ／ＤＶＤ／ＣＤ媒体に対応可能な光ピックアップ（ＢＤ専用対物レンズとＤＶＤ／ＣＤ互換対物レンズの２対物レンズを搭載、あるいはＢＤ／ＤＶＤ／ＣＤ互換の１対物レンズを搭載）およびこの光ピックアップを搭載した光学的情報記録再生装置に適用しても良い。さらに、ＢＤ対物レンズ１１１の設計基準カバー層厚さを０.０８７５ｍｍに限定せず、これと異なる値であっても構わない。球面収差補正駆動手段１０６はコリメートレンズに限定されず、ビームエキスパンダあるいは液晶レンズあるいは波面補正ミラーといった方法であっても構わない。
【符号の説明】
【００３８】
１０１  ＢＤレーザ光源
１０６  球面収差補正駆動手段
１１１  ＢＤ対物レンズ
１１２  情報記録媒体
１１６  光ピックアップ
１２１  ピックアップ情報記憶手段
１２２  ピックアップコントローラ
１２０  チルト制御回路
【図１】
2012033213.tif 000003
【図２】
2012033213.tif 000004
【図３】
2012033213.tif 000005
【図４】
2012033213.tif 000006
【図５】
2012033213.tif 000007
【図６】
2012033213.tif 000008
【図７】
2012033213.tif 000009
【図８】
2012033213.tif 000010
【図９】
2012033213.tif 000011
【図１０】
2012033213.tif 000012
【図１１】
2012033213.tif 000013